(57)【要約】  本発明はチップスタック（３１）の製造方法に関し、キャリア（１０）の一方のキャリア面（１５）に特に誘電性及び／又は光構造化可能なベース層（２０）を適用するステップと、ベース層（２０）の上にチップスタック（３１）を構築するステップと、チップスタック（３１）を埋め込むステップと、ベース層（２０）からキャリア（１０）を取り外すステップとを備え、キャリア面（１５）の上には、接着性の接着領域（１４）及び低接着性の支持領域（１１）が設けられ、ベース層（２０）は少なくとも支持領域（１０）に対してほぼ表面全体にわたって適用される。本発明は、本方法を実施するためのキャリアにも関する。
2013535093.tif 000002
【特許請求の範囲】
【請求項１】
チップスタック（３１）を製造するための方法であって、
キャリア（１０）のキャリア面（１５）にベース層（２０）を適用するステップと、
前記ベース層（２０）の上にチップスタック（３１）を構築するステップと、
前記ベース層（２０）から前記キャリア（１０）を取り外すステップとを備え、
前記キャリア面（１５）の上に、接着性の接着領域（１４）と低接着性の支持領域（１１）とが設けられて、前記ベース層（２０）が、少なくとも前記支持領域（２０）に対してほぼ表面全体にわたって適用される、方法。
【請求項２】
前記接着領域（１４）内の前記キャリア面（１５）の上に、特に前記キャリア面（１５）に対して後退させたオフセット（１２）の上に、好ましくは前記キャリア面（１５）と同一平面で、選択的可溶性の充填材（１３）が存在する、請求項１に記載の方法。
【請求項３】
前記ベース層（２０）が、前記支持領域（２０）の表面全体にわたって適用され、前記接着領域（１４）に対して少なくとも部分的に適用される、請求項１に記載の方法。
【請求項４】
前記チップスタック（３１）が、特に切断によって、前記チップスタック（３１）が前記キャリア（１０）に接続したままであるように、前記キャリア（１０）の取り外しの前に分離される、請求項１に記載の方法。
【請求項５】
前記ベース層（２０）を形成する物質がフレキシブルである、請求項１に記載の方法。
【請求項６】
特に前記チップスタック（３１）を構築する前に、ファンアウト結合構造（２１）が前記ベース層（２０）内に形成される、請求項１に記載の方法。
【請求項７】
前記チップスタック（３１）を構築する前に、前記キャリア面（１５）の反対側のチップ面（２４）の上に、前記チップスタック（３１）を前記ファンアウト結合構造（２１）に電気的に結合するための接触パッド（２２）を適用する、請求項６に記載の方法。
【請求項８】
前記チップスタック（３１）の構築の前又は間に、特に請求項６に記載のファンアウト結合構造（２１）の導入と同時に、前記ベース層（２０）の上の前記コンタクトパッド（２２）及び／又は前記チップスタック（３１）の位置決め／配置のための位置合わせマーク（２５）が、特に前記チップスタック（３１）の縁（３２）と同一平面で、前記ベース層（２０）の中／上に存在している、請求項６に記載の方法。
【請求項９】
前記チップスタック（３１）が、結合によって前記ベース層（２０）の上に直接固定される、請求項１に記載の方法。
【請求項１０】
前記チップスタック（３１）を構築した後であって且つ前記キャリア（１０）を取り外す前に、前記チップスタックを、前記ベース層（２０）の物質に特に対応する層物質（４０）で埋め込む、請求項１から９のいずれか一項に記載の方法。
【請求項１１】
前記キャリア（１０）を、特に前記接着層（１４）の接着力を低下させることによって、好ましくは前記充填材（１３）の選択的分解によって、前記キャリア（１０）の側縁から取り外す、請求項１又は２に記載の方法。
【請求項１２】
前記ベース層（２０）のベース部分（２６）が、各チップスタック（３１）の一部を形成する、請求項１から１１のいずれか一項に記載の方法。
【請求項１３】
チップスタック（３１）を製造するための方法であって、
キャリア（１０）のキャリア面（１５）にベース層（２０）を適用するステップと、
前記ベース層（２０）の上に前記チップスタック（３１）を構築するステップと、
前記ベース層（２０）から前記キャリア（１０）を取り外すステップとを備え、
前記キャリア面（１５）の上に、接着性の接着領域（１４）が設けられて、前記ベース層（２０）が前記接着領域（１４）の表面全体にわたって適用されて、前記ベース層（２０）を有する前記接着領域（１４）の接触表面が、前記ベース層（２０）の適用の前に表面修飾される、方法。
【請求項１４】
接着性の接着領域（１４）及び低接着性の支持領域（１１）がキャリア面（１５）の上に設けられているキャリア（１０）であって、ベース層（２０）が少なくとも前記支持領域（１１）に対してほぼ表面全体にわたって適用され、前記接着領域（１４）内の前記キャリア面（１５）の上において、特に前記キャリア面（１５）に対して後退させたオフセット（１２）の上に、好ましくは前記キャリア面（１５）と同一平面で、選択的可溶性充填材（１３）が存在している、キャリア（１０）。
【発明の詳細な説明】
【技術分野】
【０００１】
本発明は、請求項１乃至１３に係るチップスタックを製造するための方法及び請求項１４に係るキャリアに関する。
【背景技術】
【０００２】
半導体チップ上に存在している構造の継続的な小型化、及び、半導体チップの大量生産におけるコスト圧力に起因して、回路基板上の対応する構造に対して又は隣接するチップに益々小さくなっている構造を備えた半導体チップを相互接続するための新規方法及び設計が必要とされている。ここで、回路基板上の従来の構造と比較して、チップ上の配線及び構造のサイズの差が主な技術的問題となる。回路基板の構造は、チップ製造の発展に遅れないためにも小型化及び精緻化されている。しかしながら、コスト圧力に起因して、チップ構造と比較してあまり微細ではない構造を有する結合構造を備えたより好ましい回路基板の使用が求められている。これは、異なるタイプのチップ（特に、小型化の程度が異なるチップ）を回路基板に適用しなければならないからであり、結合構造の更なる小型化の結果として、回路基板の製造における経済的な生産が可能でなくなる。高い接続密度を有するチップは、回路基板の物質及び回路基板の製造プロセスの選択肢を決める。
【０００３】
他の技術的問題は、従来設計の回路基板が、シリコンやゲルマニウム等の半導体の熱膨張と大きく異なる熱膨張を有することである。回路基板と半導体の熱膨張の差が疲労破壊に繋がることを防止するため、多くの場合、チップと回路基板との間の接続構造（一般的に共晶金属合金から成る所謂バンプで実施されることが多い）の特定の最小寸法も維持しなければならない。更に、チップスタック内の又は回路基板上のチップの安定化のために、充填材をギャップ内に導入しなければならないことが多いが、これは、接続構造の更なる小型化における問題に繋がる。
【０００４】
特に、上述の技術的問題に起因して、チップは、所謂ファンアウト（ｆａｎ‐ｏｕｔ）結合構造によって形成される。この場合、半導体チップ又はチップスタックは、チップのベース領域を拡大して接続用のより大きな空間を有するために用いられる充填材内に埋め込まれる。半導体チップ上に非常に密にパッケージングされた末端部は、半導体チップ及び充填材（ファンアウト）から成るより大きな領域上に拡張される。そして、その拡張領域を、バンプによって回路基板に接続することができる。
【０００５】
ファンアウト結合構造でチップを製造するための既存の方法は、その上にチップが配置される接着剤をキャリアに適用することに基づいている。接着剤は、例えば、キャリア上に積層される接着フィルムである。チップは、ピックアンドプレースツールで接着フィルムに適用されて、層物質（成形化合物）で埋め込まれる。結果物のハイブリッドウェーハをチップ及び層物質（成形化合物）から取り外した後に、ファンアウト結合構造が前面に形成される。
【０００６】
キャリアからのハイブリッドウェーハの取り外しは、特に上述の可溶性接着接続に起因して、既存の方法において技術的問題を課す。主に一時的な接続が用いられていて、接着接続部は、埋め込み用の物質と反応することが多い。従って、既存の方法では、接着剤がチップの埋め込み用の物質と化学的及び物理的の両方において相性が良く、また主に使用されるプロセス温度に対して相性が良いかということに特別な注意を払わなければならない。
【０００７】
金属、セラミック又は半導体から成る群から従来選択されて用いられているキャリア物質に起因して、ＵＶ可溶性接着剤、又は光源（例えばレーザ等）による照射によって分解される接着剤は除外される。何故ならば、これらのキャリアは、接着剤を分解するのに必要な波長に対して一般的に透明ではないからである。
【０００８】
しかしながら、熱可溶性接着剤（例えば両面テープや、熱可塑性を有する熱可溶性接着剤等）も、技術的問題を課す。それらの接着剤は一般的に、従来の接着剤では一般的に最大１５０℃又は２００℃まで必要な温度安定性を有さない。更に、温度が上昇すると、それらの接着剤は機械的変形にあまり耐性がなく、その結果として、埋め込み中のチップがずれ得て、最悪の場合、対応する結合末端部と接触しなくなる。埋め込みは一般的に、１５０℃から２００℃の間の温度で行われる。
【０００９】
他の問題は、埋め込み用の多くの物質は、利用可能な一時的接着剤と相互作用してしまうので、その接着剤と条件付きでしか相性が良くないことである。従って、現在のところ、既に用いられている接着剤と共に使用するつもりの各埋め込む物質の相互作用を定量化する必要がある。このように、実際のところ、使用可能な物質の数が非常に制限されていて、チップ製造の要求に対する対応があまり柔軟でなくなる。
【００１０】
他の問題は、互いに導電的に接続されるチップの複数層内に積層されたチップスタック（チップ積層体）の製造におけるものである。チップスタック（３次元パッケージとも称される）は、チップの直接積層及び電気接続を可能にする貫通シリコンビア（ＴＳＶ，ｔｈｒｏｕｇｈ  ｓｉｌｉｃｏｎ  ｖｉａ）を有する。実際には一般的に金属はんだ接続部又は拡散結合接続部である電気接続部の形成は一般的に、２００℃以上の温度、部分的には３００℃以上の温度を要する。こうした温度では、既知の全ての接着剤が役に立たない。
【００１１】
他の技術的問題は、大抵の既知の接着剤の可視光に対する透明性の欠如である。何故ならば、特にチップがピックアンドプレースツールによって配置される場合、正確な位置合わせは相応に透明な接着剤に対してのみ可能だからである。従って、位置合わせの精度は、大抵の接着剤において問題となり、特別な場合では、所謂グローバル位置合わせが用いられて、チップが、外部参照システム（ウェーハに属さない）を用いて所定のグリッドに配置される。一般的に、この参照システムは、ステージ（保持手段）と、ステージに属するピックアンドプレースシステムのセンサとによって形成される。これには、システム全体の考えられる熱膨張が位置合わせ精度に直接影響するという欠点が伴い、こうした影響及び位置合わせ精度のドリフトの傾向を排除するために、ピックアンドプレースシステムの構造に相応の耐久性及び安定性がなければならない。これは、位置合わせのコストを大幅に上昇させる。
【００１２】
ここで、ハイブリッドウェーハをキャリアから取り外す場合には、熱的又は熱機械的プロセスが用いられるが、成形化合物の物質用の温度が致命的で許容可能ではないという問題がある。その材料は、加熱されると機械的安定性を失い、加熱状態のキャリアからの分離を少なくとも難しいものとする。この場合、グリッド内の個々のチップの位置合わせ精度（ハイブリッドウェーハの更に良い処理のための前提条件）も悪影響を受け得る。例えば、末端部において、非常に密にパッケージングされた個々のチップ上の接続パッドが、薄膜技術のリソグラフィによって定められるコンタクトに結合される。この場合、最も微細な構造サイズを要するコンタクトは非常に重要なものであり、チップ上に直に設けられたコンタクトが、他の層と比較して最も微細な分解能及び最大の密度を有する一方、チップは横方向（Ｘ‐Ｙ平面）の位置合わせ精度に対して最大の変化を有する。個々の構造の横方向の位置決め精度に対する一番の高分解能と比較すると、他の接続層は、チップよりもはるかに小さい（２から５分の１）横方向の位置決め精度を要する。
【００１３】
まとめると、問題は以下の点である：
‐  使用される接着剤の化学的安定性
‐  使用される接着剤の熱的安定性
‐  使用される接着剤の熱機械的安定性
‐  使用される接着剤の透明性の欠如（位置合わせ精度）
‐  チップの位置合わせ精度（フローティング）
‐  取り外しプロセスにおける温度
【発明の概要】
【発明が解決しようとする課題】
【００１４】
従って、本発明の課題は、ハイブリッドウェーハを構築するために用いられる物質に対するキャリアの熱的安定性、熱機械的安定性、及び／又は、化学的適合性及び後続のプロセスに対する上述の制限が存在しなくなるようなファンアウト結合構造を用いたチップスタックの製造方法を発明することである。他の課題は、製造コストを下げながら可能な限り配置中及びチップ構築中の位置合わせ精度を上昇させることである。
【課題を解決するための手段】
【００１５】
この課題は請求項１の特徴によって達成される。本発明の有利な発展は従属項に与えられている。明細書、特許請求の範囲、及び／又は、図面に与えられた特徴のうち少なくとも二つのあらゆる組み合わせも、本発明の概念の内に含まれる。所定の値の範囲において、示された限度内の値は、境界値としても開示され、あらゆる組み合わせにおいて特許請求されるものである。
【００１６】
本発明は、少なくとも一つのチップ層から成るチップスタックをキャリアの上に直接結合させるのではなく、まずキャリアに、特に誘電性又は絶縁性及び／又は光構造化可能なベース層を適用し、そのベース層の上にチップスタックが構築させるというアイディアに基づいている。有利には、本発明に従って、ベース層が、少なくとも部分的に、チップスタック又は製造されるハイブリッドウェーハの構成要素となることが想定される。特に、高価な一時的接着剤を少なくとも大幅に省くことができる。
【００１７】
本発明によると、ベース層は、キャリアに、少なくとも大部分は（少なくとも主に）接着力の低い支持領域に適用されるが、その支持領域は、製造されるハイブリッドウェーハの領域の大半、又はキャリアの領域の大部分を有する。ここで、本発明によると、製造されるハイブリッドウェーハ又は製造されるチップスタックの最外縁に対してのみ、キャリアの上に高接着力の接着領域が存在する。言い換えると、キャリアは、ベース層の周囲の上において多かれ少なかれ包括的に、ベース層と、チップの少なくとも一つの層から成るチップスタックを保持し、そのチップスタックはベース層の上に構築され、接触表面はベース層とキャリアとの間で平坦である。
【００１８】
本発明によると、ベース層に対する接着領域の単位面積当たりの接着力は、支持領域の接着力の特に少なくとも三倍、好ましくは少なくとも五倍、より好ましくは少なくとも十倍、理想的には少なくとも二十倍大きい。
【００１９】
本発明の目的に対して、キャリアは、ハイブリッドウェーハ又は個々のチップスタックを製造するのに適した物質であり得て、特に好ましい物質は、金属、セラミック、半導体、石英、ガラス等から成る群から選択されたものである。また、これらの物質の組み合わせから成るキャリアを製造することも想定される。キャリアはあらゆる形状を有し得るが、有利には、正方形、矩形、又は特に円形である。標準的なシリコンウェーハと同様又は同一の寸法を有する円形基板状のキャリアの一実施形態が特に有利である。何故ならば、この場合、確立された製造機器及びインフラを使用することができるからである。
【００２０】
従って、本発明の核心は、チップスタックの埋め込みに用いられる物質と比較して、化学的及び熱的観点、並びに熱機械的観点において優れた特性を有するキャリアに対してベース層を適用することであり、特に、ベース層からのキャリアの取り外しが、ベース層の縁の上での固定によって大幅に単純化される。層物質（成形化合物）によって埋め込まれないベース層の結果として、フレキシビリティ及び達成可能な位置合わせ精度が大幅に改善される。更に、高価な物質の組み合わせ（特に一時的接着剤に関する）を省くことによって、製造コストが改善される。最後に大事な点として、本発明によってのみ、チップ／チップスタックを電気的に接続する導電経路（特にファンアウト結合構造）でチップスタック内の複数のチップ層を処理することができる。
【００２１】
本発明に係る他の独立的な構成では、ベース層は、例えばホットスタンピングやＵＶスタンピング法（紫外線を用いた照射によって架橋可能である物質に基づく）等のスタンピングプロセスによって構造化可能であり、特に、少なくとも一つのプラスチックチップから形成されたチップスタックを製造するためにプラスチック製である。この場合、本発明に従って、シリコンを完全に省くことができる。本実施形態は、マイクロ流体の応用従ってマイクロ流体チップの製造に特に適していて、本発明に係る方法の多様性を象徴する。そして、チップスタックを構築するための方法ステップは、このバージョンの最も一般的な実施においては単に、ベース層が特にスタンピング法（例えばホットスタンピングやＵＶスタンピング法等）によって構造化されるというものであり、任意で、構造の金属コーティング及び／又は封止が、後続の結合法によって行われる。
【００２２】
スタンピング法は、成形化合物を貫通する電気接続部（所謂、貫通モールドビア（ＴＭＶ，ｔｈｒｏｕｇｈ  ｍｏｌｄ  ｖｉａ））の特に経済的な形成にも用いることができる。ここで、チップの埋め込みは、例えば成形化合物内に貫通モールドビアを形成するために埋め込みツールが所望の構造を有するように行われる。埋め込みプロセス中において、埋め込みツールが液体成形化合物の塊の中にプレスされて、ツール内に機械加工されたネガティブ構造が、所定のサイトにおいて成形化合物を変位させる。成形化合物の物質の硬化後に、所望のポジティブ構造が硬化した成形化合物の物質中に残る。このようにして、例えば貫通モールドビアを形成することができて、そのビアは、当該産業の従来の方法（特に、例えば金属の電気化学的堆積）を用いて、製造プロセスフローの後続の所定の時点において、充填可能である。これは、例えばこのようにして製造された二つのチップスタックを積層させて互いに電気的に接続する応用において特に有用となり得る。上述の方法で形成されたＴＭＶコンタクトは、二つのチップスタックの単純で空間の節約された導電性接続を可能にする。
【００２３】
本発明の有利な一実施形態によると、接着領域内のキャリア面の上に、特にキャリア面に対して後退させたオフセットの上に、好ましくはキャリア面と同一平面で充填する選択的可溶性充填材が存在する。この手段は、他の物質に対して非選択的である対応溶媒又は少なくとも大部分仕切られ得る対応溶媒によって選択的に分解される充填材によって特に注意深くハイブリッドウェーハ又はチップスタックからキャリアを取り外すことを可能にする。
【００２４】
上述のキャリアを、本方法を実施するための独立的な発明とみなすことができる。
【００２５】
ベース層を、表面全体にわたって、支持領域と接着領域の少なくとも一部とに適用することによって、キャリア上の利用可能な領域を、チップスタックを製造するためにほぼ完全に使用することができる。キャリア直径３００ｍｍの場合、接着領域の縁から支持領域の縁までの距離（特にリング幅）は、０．５ｍｍから１０ｍｍの間、特に１ｍｍから５ｍｍの間、好ましくは２ｍｍから４ｍｍの間である。
【００２６】
本発明の他の有利な実施形態によると、キャリアの取り外しの前に、チップスタックが、特に切断によって、分離されて、チップスタックがキャリアのみに接続されるようになる。この場合は、同時に、ベース層が、チップスタックに割り当てられるベース部分に切断される。
【００２７】
特に有利な一実施形態では、ベース層を形成する物質がフレキシブルであり、特に層物質（成形化合物）で充填する代わりの手段に関して、ベース層を形成する物質が埋め込み用に用いられる。これは、非常に高い機械的耐久性を有しながら機械的にフレキシブル（柔軟）である特に薄くて小型のパッケージを製造することを可能にする。これは、柔軟性が重要である特別な応用、特にスマートカードや、湾曲した表面にパッケージを後で取り付ける際に特に有利である。
【００２８】
本発明の特に有利な一実施形態では、特にチップスタックを構築する前に、ファンアウト結合構造がベース層内に設けられる。このようにして、ベース層が他の目的で用いられて、チップスタック又はハイブリッドウェーハの他の機能部品を形成する。この場合、チップの配置の前にファンアウト結合構造を品質テストにかけることが特に有利であり、その構造内に存在し得る欠陥が、チップ又はチップスタックが機能しないファンアウト結合構造に適用されてしまうことに繋がる可能性を防止する。
【００２９】
ファンアウト結合構造は、チップのチップ接触表面に対する利用可能なファンアウト接触表面を、特に少なくとも１．５倍、好ましくは２倍、より好ましくは３倍、理想的には４倍広げる。
【００３０】
チップスタックの構築前に、キャリア面の反対側のチップ面の上に、チップスタックをファンアウト結合構造と電気的に結合するための接触パッドを適用することが特に有利である。
【００３１】
更に、チップスタックの構築の前又は間において、特に結合構造の導入と同時に、特にチップスタックの一つの縁と同一平面において、ベース層の上にコンタクトパッド及び／又はチップスタックを位置決めするための位置合わせマークをベース層の中／上に提供することが有利である。代わりに、位置合わせマークは、個々のチップの上に配置された位置合わせマークに対応し得る。このようにして、ベース層が、他の追加的な機能を果たし、所定の手段によって、チップ／チップスタックの位置合わせ精度が更に改善される。ベース層が光構造化可能物質、特に光構造化可能誘電体であることが特に有利である。
【００３２】
代替的な一独立実施形態によると、チップスタックは、結合（接着）によってベース層の上に直接結合される。これは、追加の接着剤を用いて、又はベース層の物質の接着性を用いて行われる。従って、本発明によると、チップが、所謂ダイ取り付け接着剤を用いて固定されることが想定される。代わりに、本発明によると、ベース層の物質が、非露光状態において主に熱可塑性の振る舞いを有する誘電体であることが想定される。従って、チップを、熱可塑性接着剤プロセスを用いて固定することができる。
【００３３】
チップスタックを構築した後であって且つキャリアを取り外す前に、特にベース層に対応する層物質でチップスタックを埋め込むことが特に有利である。何故ならば、このようにして、特にフレキシブルであると同時に安定なチップスタック又はハイブリッドウェーハを形成することができるからである。
【００３４】
本発明の他の代替実施形態によると、特に接着層の接着力を低下させることによって、好ましくは充填材の選択的分解によって、キャリアの一側縁からキャリアを取り外すことが行われる。ベース層及びベース層に適用されたチップスタックからのキャリアの取り外しは、特に埋め込み材料に対して、本発明に係るこの手段によって注意深く実施される。
【００３５】
本発明に従って、キャリアが、接続解放手段（特に接着領域と、ベース層とキャリアとの間の接着領域に作用する接着手段とに対して作用する）によって、ベース層から取り外される。
【００３６】
接続解放手段は、流動剤、特に、接続を選択的に分解する溶媒であり得る。化学的分解は、特に気を遣うものであり、特に、キャリア又はベース層の縁領域のみに接着層が提供されて、溶媒が側部から素早く作用することができる場合には、対応する物質の選択によって、分解が素早く進み得る。
【００３７】
本発明の一代替実施形態では、接続解放手段は、接着剤を分解するために、機械的分離手段、特に接着領域におけるキャリアからのベース層の機械的分離のためのブレードを備える。機械的分離手段及び流動剤の組み合わせも想定可能である。
【００３８】
本発明の他の代替実施形態では、接続解放手段は、ベース層とキャリアとの間の接着剤を分解するためにＵＶ光源を備える。本実施形態は、機械的分離手段の実施形態及び／又は流動剤の実施形態と組み合わせ可能である。
【００３９】
ここで、接続解放手段は、特にキャリアの側縁からのみ作用するようにされて、頂部及び／又は底部からのキャリア及び／又はハイブリッドウェーハ／チップスタック（特に、キャリアの側縁内部又は支持領域内のキャリアの領域）に対する作用が省かれ得ることが多い。
【００４０】
キャリアの全周囲にわたる接続解放手段の配置を省くことができて、キャリアを回転させるための回転手段が存在することによって、キャリアの周囲における部分的作用で十分となる。
【００４１】
有利には、接着層を流動剤に晒すために、流動剤保持用の溶媒タンクが存在し、そのタックは、キャリア又はキャリアレシーバに特に密閉して接触する。溶媒タンクによって、キャリアの側縁又は周囲を少なくとも部分的に取り囲むこと、特に接続層に対する有効な作用が可能となる。更に、取り囲み手段は、流動剤が溶媒タンクから流出することや、ＵＶ光強度が失われることを防止することができる。機械的分離手段を用いる場合、存在し得る不純物が、溶媒タンクから出て行き、ハイブリッドウェーハ又はチップスタックを汚染することが防止される。有利な構成における溶媒タンクは断面がＬ字又はＵ字型とされ得る。
【００４２】
本発明によると、接着層（特に選択的可溶性充填材）の分解は、モジュレータによって加速可能であり、そのモジュレータは、超音波又はメガソニック発生キャビテーションによるキャリアの取り外しを大幅に加速させて、取り外しがより注意深く且つ素早く行われるようにする。モジュレータは用いられる溶媒と接触して、最適な音波伝達を保証する。有利には、モジュレータは、Ｌ字型又はＵ字型溶媒タンク内に機械的に組み込まれる。代わりに、溶媒が接着層を分離するために所定の方法で供給される際に、モジュレータを溶媒内に浸漬させることもできる。
【００４３】
更に、本発明は、キャリア面上に接着性の接着領域と低接着性の支持領域とが設けられたキャリアに関し、ベース層（２０）が少なくとも大部分は支持領域に対して表面全体にわたって適用可能であり、接着領域内のキャリア面上に、特にキャリア面に対して後退させたオフセットの上に、好ましくはキャリア面と同一平面で、選択的可溶性充填材が存在する。このように設けられたキャリアを用いて、本発明に係る方法を特に有利な方法で実施することができる。何故ならば、キャリアからのハイブリッドウェーハ又はチップスタックの取り外しが、チップスタック及び成形化合物に悪影響を与えずに少なくとも大部分行われるからである。このようにして、高価なチップスタックの特に注意深い取り外しが保証される。更に、本発明によると、チップスタックが構築される際及び／又はファンアウト結合構造がチップスタック構造内に形成される際に、複数の隣接するチップスタックを相互接続することが想定可能である（実施形態Ｆを参照）。
【００４４】
更に、キャリアの取り外しは、キャリアの周囲からキャリアの中心に向けて同心状に行われることが有利である。
【００４５】
本発明の他の利点、特徴及び詳細は、図面を用いた以下の好ましい例示的な実施形態の説明を読むことによって明らかになるものである。
【図面の簡単な説明】
【００４６】
【図１Ａ】実施形態Ａに係る本発明におけるキャリアへのベース層の適用ステップの概略図を示す。
【図１Ｂ】実施形態Ｂに係る本発明におけるキャリアへのベース層の適用ステップの概略図を示す。
【図１Ｃ】実施形態Ｃに係る本発明におけるキャリアへのベース層の適用ステップの概略図を示す。
【図１Ｄ】実施形態Ｄに係る本発明におけるキャリアへのベース層の適用ステップの概略図を示す。
【図１Ｅ】実施形態Ｅに係る本発明におけるキャリアへのベース層の適用ステップの概略図を示す。
【図２Ａ】実施形態Ａに係る本発明におけるベース層内へファンアウト結合構造及び位置合わせマークを導入するステップの概略図を示す。
【図２Ｂ】実施形態Ｂに係る本発明におけるベース層内へファンアウト結合構造及び位置合わせマークを導入するステップの概略図を示す。
【図２Ｃ】実施形態Ｃに係る本発明におけるベース層内へファンアウト結合構造及び位置合わせマークを導入するステップの概略図を示す。
【図２Ｄ】実施形態Ｄに係る本発明におけるベース層内へファンアウト結合構造及び位置合わせマークを導入するステップの概略図を示す。
【図２Ｅ】実施形態Ｅに係る本発明におけるベース層内へファンアウト結合構造及び位置合わせマークを導入するステップの概略図を示す。
【図３Ａ】実施形態Ａに係る本発明におけるベース層上に接触パッドを配置するステップの概略図を示す。
【図３Ｂ】実施形態Ｂに係る本発明におけるベース層上に接触パッドを配置するステップの概略図を示す。
【図３Ｃ】実施形態Ｃに係る本発明におけるベース層上に接触パッドを配置するステップの概略図を示す。
【図３Ｄ】実施形態Ｄに係る本発明におけるベース層上に接触パッドを配置するステップの概略図を示す。
【図３Ｅ】実施形態Ｅに係る本発明におけるベース層上に接触パッドを配置するステップの概略図を示す。
【図４Ａ】実施形態Ａに係る本発明における少なくとも一箇所においてベース層上にチップを積層させるステップの概略図を示す。
【図４Ｂ】実施形態Ｂに係る本発明における少なくとも一箇所においてベース層上にチップを積層させるステップの概略図を示す。
【図４Ｃ】実施形態Ｃに係る本発明における少なくとも一箇所においてベース層上にチップを積層させるステップの概略図を示す。
【図４Ｄ】実施形態Ｄに係る本発明における少なくとも一箇所においてベース層上にチップを積層させるステップの概略図を示す。
【図４Ｅ】実施形態Ｅに係る本発明における少なくとも一箇所においてベース層上にチップを積層させるステップの概略図を示す。
【図５Ａ】実施形態Ａに係る本発明における成形化合物でチップスタックを埋め込むステップの概略図を示す。
【図５Ｂ】実施形態Ｂに係る本発明における成形化合物でチップスタックを埋め込むステップの概略図を示す。
【図５Ｃ】実施形態Ｃに係る本発明における成形化合物でチップスタックを埋め込むステップの概略図を示す。
【図５Ｄ】実施形態Ｄに係る本発明における成形化合物でチップスタックを埋め込むステップの概略図を示す。
【図５Ｅ】実施形態Ｅに係る本発明における成形化合物でチップスタックを埋め込むステップの概略図を示す。
【図６Ａ】実施形態Ａに係るキャリアからチップスタックを有するベース層を取り外すステップの概略図を示す。
【図６Ｂ】実施形態Ｂに係るキャリアからチップスタックを有するベース層を取り外すステップの概略図を示す。
【図６Ｃ】実施形態Ｃに係るキャリアからチップスタックを有するベース層を取り外すステップの概略図を示す。
【図６Ｄ】実施形態Ｄに係るキャリアからチップスタックを有するベース層を取り外すステップの概略図を示す。
【図６Ｅ】実施形態Ｅに係るキャリアからチップスタックを有するベース層を取り外すステップの概略図を示す。
【図７Ａ】実施形態Ａに係る本発明におけるはんだ付け接続部（バンプ）を適用するステップの概略図を示す。
【図７Ｂ】実施形態Ｂに係る本発明におけるはんだ付け接続部（バンプ）を適用するステップの概略図を示す。
【図７Ｃ】実施形態Ｃに係る本発明におけるはんだ付け接続部（バンプ）を適用するステップの概略図を示す。
【図７Ｄ】実施形態Ｄに係る本発明におけるはんだ付け接続部（バンプ）を適用するステップの概略図を示す。
【図７Ｅ】実施形態Ｅに係る本発明におけるはんだ付け接続部（バンプ）を適用するステップの概略図を示す。
【図８Ａ】実施形態Ａに係る本発明におけるキャリア上のチップスタック又はハイブリッドウェーハを分離するステップの概略図を示す。
【図８Ｂ】実施形態Ｂに係る本発明におけるキャリア上のチップスタック又はハイブリッドウェーハを分離するステップの概略図を示す。
【図８Ｃ】実施形態Ｃに係る本発明におけるキャリア上のチップスタック又はハイブリッドウェーハを分離するステップの概略図を示す。
【図８Ｄ】実施形態Ｄに係る本発明におけるキャリア上のチップスタック又はハイブリッドウェーハを分離するステップの概略図を示す。
【図８Ｅ】実施形態Ｅに係る本発明におけるキャリア上のチップスタック又はハイブリッドウェーハを分離するステップの概略図を示す。
【図９Ｆ１】実施形態Ｆに係る本発明におけるキャリアへのベース層の適用ステップの概略図を示す。
【図９Ｆ２】実施形態Ｆに係る本発明における少なくとも一箇所においてベース層上にチップを積層させるステップの概略図を示す。
【図９Ｆ３】実施形態Ｆに係る本発明におけるベース層に対応する物質での埋め込みのステップの概略図を示す。
【図９Ｆ４】実施形態Ｆに係る本発明におけるファンアウト結合構造を導入するステップの概略図を示す。
【図９Ｆ５】実施形態Ｆに係る本発明における他のチップ層及びはんだ付け接続部（バンプ）を適用するステップの概略図を示す。
【図９Ｆ６】実施形態Ｆに係るキャリアからチップスタックを有するベース層を取り外すステップの概略図を示す。
【図９Ｆ７】実施形態Ｆに係るキャリア上のチップスタック又はハイブリッドウェーハを分離するステップの概略図を示す。
【図１０Ｇ１】実施形態Ｇに係る本発明におけるキャリアへのベース層の適用ステップの概略図を示す。
【図１０Ｇ２】実施形態Ｇに係る本発明におけるリソグラフィステップの概略図を示す。
【図１０Ｇ３】実施形態Ｇに係る本発明におけるリソグラフィステップの概略図を示す。
【図１０Ｇ４】実施形態Ｇに係る本発明における少なくとも一箇所においてベース層上にチップを積層させるステップの概略図を示す。
【図１０Ｇ５】実施形態Ｇに係る本発明における成形化合物でチップスタックを埋め込むステップの概略図を示す。
【図１０Ｇ６】実施形態Ｇに係るキャリアからチップスタックを有するベース層を取り外すステップの概略図を示す。
【図１０Ｇ７】実施形態Ｇに係る本発明におけるハイブリッドウェーハを１８０°回転させるステップの概略図を示す。
【図１０Ｇ８】実施形態Ｇに係る本発明におけるエッチングステップの概略図を示す。
【図１０Ｇ９】実施形態Ｇに係る本発明におけるファンアウト結合構造を導入するステップの概略図を示す。
【図１０Ｇ１０】実施形態Ｇに係る本発明におけるはんだ付け接続部（バンプ）を適用するステップの概略図を示す。
【図１０Ｇ１１】実施形態Ｇに係る本発明におけるキャリア上のチップスタック又はハイブリッドウェーハを分離するステップの概略図を示す。
【図１１Ｈ１】実施形態Ｈに係る本発明におけるキャリアへのベース層の適用ステップの概略図を示す。
【図１１Ｈ２】実施形態Ｈに係る本発明におけるベース層内へのファンアウト結合構造及び位置合わせマークの導入ステップの概略図を示す。
【図１１Ｈ３】実施形態Ｈに係る本発明におけるベース層上に接触パッドを配置するステップの概略図を示す。
【図１１Ｈ４】実施形態Ｈに係る本発明における少なくとも一箇所においてベース層上にチップを積層させるステップの概略図を示す。
【図１１Ｈ５】実施形態Ｈに係る本発明における成形化合物でチップスタックを埋め込むステップの概略図を示す。
【図１１Ｈ６】実施形態Ｈに係る本発明における充填材を分解するステップの概略図を示す。
【図１１Ｈ７】実施形態Ｈに係るキャリアからチップスタックを有するベース層を取り外すステップの概略図を示す。
【図１１Ｈ８】実施形態Ｈに係る本発明におけるはんだ付け接続部（バンプ）を適用するステップの概略図を示す。
【図１１Ｈ９】実施形態Ｈに係る本発明におけるキャリア上のチップスタック又はハイブリッドウェーハを分離するステップの概略図を示す。
【発明を実施するための形態】
【００４７】
図面は、実施形態ＡからＨの個々の又は複数のステップを示し、図面のラベル付けは参照記号ＡからＨで識別される。実施形態ＡからＥの個々のステップはまとめて示されていて、実施形態Ｆ、Ｇ、Ｈのステップは順番で示されている。
【００４８】
キャリアを取り扱うための及び／又は各ステップを実施するための既知のデバイスについては説明しない。
【００４９】
参照符号は、対応する部分に対して一律に用いられるが、異なる手段／物質が異なる実施形態に対して選択され得る。
【００５０】
本発明の要点は、チップ３０又はチップスタック３１を固定するための一時的な接着剤を全体的に又は少なくとも大抵の部分において利用しないことである。代わりに、ハイブリッドウェーハ３４とキャリア１０との間の接触表面１８上に低接着力の支持領域１１を有するキャリア１０を用いる。この低接着力の支持領域１１は、少なくとも一層のチップ層３３を有する複数のチップスタック３１から成って製造されるハイブリッドウェーハ３４の領域の大半と一度に結合する。このシステムは、特に環状のコンポーネント表面１８（製造されるハイブリッドウェーハ３４の外縁３５上に位置する）のみが、高い保持力／接着力で接着領域１４上のキャリア１０上の接着表面１８の上に存在するようにされる。
【００５１】
本発明の目的にとって、キャリア１０は、ハイブリッドウェーハ３４を製造するのに適したあらゆる物質であり得る。しかしながら、典型的には、その物質は、金属、セラミック、半導体、石英、ガラス等の群のうちの一つから選択されたものである。適切な実施形態のキャリア１０は、円形であり、直径３００ｍｍの標準的なウェーハとされる。
【００５２】
キャリア１０の支持領域１１は、キャリア面１５に対して同一平面でキャリア内に配置された充填層１９（図１Ａを参照）によって形成される。充填層１９の厚さは、少なくとも３μｍから１００μｍであり、好ましくは１０μｍから５０μｍである。
【００５３】
充填層１９の適用／導入は、例えばスピンコーティングによって行われる。充填層１９は、特に５から５０質量％、特に１５から３０質量％が固体の物質から成り、その固体は、モノマー、オリゴマー、及び／又は、ポリマーから成る群から選択されて、好ましくは、環状オレフィンポリマー、及び／又は、コポリマー、及び／又は、高フッ素原子濃度（特に３０質量％以上、好ましくは４５質量％以上）のアモルファスフッ素重合体から選択される。
【００５４】
言い換えると、充填層１９は、以下の特性のうち一つ以上を有する：
‐  特に、低い自由表面エネルギーを有するアモルファスポリマー物質から成ること、
‐  低濃度又は超低濃度の水酸基又はカルボン酸基を有する少なくとも表面上のシリコン、ガラス、及び／又は、金属表面に対する接着性が低い又は接着性がないものであること、
‐  溶液から形成可能であること。
【００５５】
特に複数層におけるチップ３０の積層は、当業者に知られている。本発明の構成において、積層は、特にチップ縁３７の上において、ベース層２０の位置合わせマーク２５に対するチップ３０の位置合わせ用に用いられるチップ位置合わせマーク３８を有する各チップ３０によって改善される（図４Ｂを参照）。代わりに、支持領域１１は、以下のステップによっても生成可能であり、又は表面上に処理可能である：
‐  自由表面エネルギーを低下させるための例えばフッ素／アルキルホスホン酸塩又は（フルオロ）アルキルシラン等の疎水性オルガノシランを有するシリコン製の表面の化学処理、又は、
‐  支持領域内への又は支持領域としての永続的な接着防止コーティングを形成するためのキャリア上への低自由表面エネルギーを有するコーティングの化学気相堆積（ＣＶＤ，ｃｈｅｍｉｃａｌ  ｖａｐｏｒ  ｄｅｐｏｓｉｔｉｏｎ）法。
【００５６】
このコーティングの厚さは、特に１ｎｍから２０ｎｍであり、好ましくは２ｎｍから１０ｎｍである。
【００５７】
キャリア１０の表面の少なくとも一部の化学的修飾によって形成されたこのような支持領域１１の形成は、好ましい一実施形態に従って以下のように進められる。
【００５８】
エポキシベースのフォトレジストを、直径３００ｍｍの環状領域（接着領域１４）を有するシリコンウェーハ（キャリア１０）の表面に対して、そのシリコンウェーハの外縁上において適用する。リング幅は１から１０ｍｍである。フッ化シランを、適切な溶媒で１パーセントの溶液に希釈する。スピンコーティングで、溶液をシリコンウェーハの表面に適用する。そして、ウェーハを、１００℃の加熱プレート上で１分間硬化させる。その後、ウェーハをスピンコーターにかけて、１００℃で１分間再び硬化させる。そして、エポキシベースのフォトレジストをスピンコーター内においてアセトンで除去して、その結果として、環状の接着領域が、フッ化シラン溶液によって処理されていない接着領域として残る。支持領域１１を有するキャリア１０が完成する。
【００５９】
そして、ベース層２０をほぼ全表面にわたってこのキャリア１０に適用する。特に、ベース層２０は後にハイブリッドウェーハの少なくとも一部となる。しかしながら、場合によっては、このベース層２０が、少なくとも一部において、チップスタック構築中に一時的にのみ使用されることも考えられる。この場合、全製造プロセスフロー中の後の段階において、この層は、適切な箇所において大部分完全に除去される。この点に関して、理想的には、元々存在していた層の少なくとも９９．５％、より理想的には９９．９％、更に理想的には９９．９９％の除去が完全とされ得る。この点に関して、一時的にのみ使用されるベース層が特に有利な実施形態として実施可能であり、このベース層を用いて、層を除去することによって後に露出可能でありアクセス可能とされ得る導電性金属接続部を形成する。これらのプロセスは半導体業界においては“犠牲層”との用語で知られている。これらの構造を実現するため、構造の構成に応じて、ベース層が光構造化可能物質から成ることが有利となり得る。これは、ほぼ表面全体にわたって接着剤の厚さの減少した支持領域１１の少なくとも９０％であると理解可能である。しかしながら、最適な実施形態では、この表面は、少なくとも９８％であり、より理想的には支持領域１１よりも大きい。直径３００ｍｍの円形キャリア１０において、高接着力の接着領域１４は典型的に、＞０．５ｍｍ、理想的には＞１ｍｍ、更に理想的には＞２ｍｍ又は＞４ｍｍのリング幅を有する。
【００６０】
ベース層が支持領域１１よりも大きな領域を覆う場合、実施形態Ｆに従って、キャリア１０が高接着領域内にオフセット１２を有することが好ましい。このオフセットは、ベース層２０を適用する前に、充填材１３が支持領域１１と同一平面の平坦なキャリア面１５を形成するまで、充填材１３で充填される。充填材１３は理想的には、外部からの制御された作用によって後に選択的に分解又は除去可能な物質である。その作用のメカニズムは、機械的方法、光学的方法、化学的方法、又はこれらの方法の組み合わせであり得る。例えば、特定の溶媒を用いて分解可能な物質（特にプラスチック）を用いることができる。一代替実施形態によると、特別なエッチング剤によって分解可能な無機物質も考えられる。更に、紫外線（ＵＶ，ｕｌｔｒａｖｉｏｌｅｔ）放射又は紫外線（ＩＲ，ｉｎｆｒａｒｅｄ）放射の作用の下で分解可能な物質も想定可能である。オフセット１２は、低い保持力を有する支持領域１１がオフセット１２の段１７まで大まかに（有利には正確に）延伸するようにされる。段１７は、直角の縁又は傾斜した縁の形状となり得る。湿式エッチングプロセスによってこのような傾斜した縁を形成することが有利に可能であり、これは、シリコンの結晶構造が自動的にこうした傾斜した縁を形成することを可能にする。
【００６１】
ベース層２０は、スピン若しくはスプレーコーティング又はラミネート加工によって適用可能である。場合によっては、めっき、鋳造、押し出しコーティング等の他の方法も考えられる。
【００６２】
本発明の好ましい一実施形態では、ベース層２０の物質は、光構造化可能物質、特に光構造化可能誘電体である。例えば、ベンゾシクロブテン、ＷＰＲ５１００（ＪＳＲ（登録商標）製）、信越化学（登録商標）製のＳｉＮＲ（登録商標）や、日立化成や住友ベークライト製の同様の製品、ポリイミドが使用可能である。当業者は、これらの物質を知っていて、最終的な応用及び製造プロセスフローによって決められる要求に応じてそれらを選択することができる。好ましい実施形態（Ａ、Ｂ、Ｃ、Ｄ、Ｈ）では、チップ３０の所定の配線レベル用の導電経路２１を、ベース層２０の上に構築して形成することができる。これは一般的に、リソグラフィ及びアディティブプロセスによって行われる。例えば、個々の導体間の絶縁を、上述の感光性誘電体で形成することができる一方、金属接続部を、障壁シードの堆積（スパッタリング）及び電気化学的堆積（電気めっき）によって形成することができる。これらのプロセスは当該産業において従来のものであり、当業者に知られている。次に、チップを保持及び結合するために後に用いられる接続パッド２２を形成する。これらの接続パッド２２と共に、理想的には、ベース層２０に対するチップ３０の正確な位置合わせを可能にする位置合わせマーク２５も存在する。従って、外部位置合わせ手段を省くことができて、これは、チップ３０のはるかに正確な位置合わせに繋がる。
【００６３】
一代替実施形態Ｇでは、ベース層２０を単純に露光させて、その露光後に、熱プロセス（“ポスト露光焼成”）に晒す。このシーケンスによって、ネガティブレジストの場合には露光されたサイトが化学的に連結されて、現像液に対して不溶性となる一方、露光されていない領域は可溶性のままになる。ポジティブレジストに対しては、その振る舞いは真逆であり、露光されたサイトがあまり可溶性でないままである。ここで、完全性のため、大抵の誘電体はネガティブレジストの振る舞いを有することに留意されたい。そして、相互接続層を、プロセスＡ、Ｂ、Ｃ、Ｄ、Ｈと同様に既に露出されているベース層２０の上に直接構築することができ、又はチップ３０がベース層２０の上に直接配置される。この場合、露光された誘電体を加熱する前にチップ３０を適用することが有利になり得て、その後に、架橋プロセスを用いて、チップ３０とベース層２０の誘電体との間の永続的な接着接続（結合接続）を得ることが有利となり得る（実施形態Ｇ）。
【００６４】
他の代替実施形態（図９Ｆ１から図９Ｆ７に係るプロセスフローＦ）では、チップ３０がベース層２０の上においてのみ固定される。これは、追加の接着剤を用いて、又はベース層２０の対応して選択された物質の接着性を用いて実施され得る。本発明においては、チップ３０を所謂ダイ取り付け接着剤を用いて固定することも考えられる。代わりに、ベース層２０の物質は、誘電体であり得て、特に、露光されていない状態において主に熱可塑性を有し得る上述の物質のうち一つであり得る。チップ３０は、上述の熱機械的接着方法を用いて固定可能である。
【００６５】
実施形態Ａ、Ｂ、Ｃ、Ｄ、Ｈに対して、接続パッド２２の形成後に、チップ３０、又は少なくとも一つのチップ３０から形成されたチップスタック３１を一度に配置する。これは、現状のチップツーウェーハ結合法によって行うことができて、典型的には、チップ３０を、一時的接着剤によって前もって固定して、後で永続的な結合をリフロープロセスで形成する。この点に関して、実施形態Ａ及びＢは、バンプ３６を用いた一バージョンを示し、チップがフラックス又はノーフローアンダーフィルによって固定される。全てのチップ３０がベース層２０上に配置された後に、前もって固定された複数のチップ３０を有するキャリア１０が熱的プロセス（“リフロープロセス”）を受けて、バンプ３６及びコンタクトパッド２２が互いにはんだ付けされる。ここで、フラックスは、接触表面の酸化が加熱中に生じないことを保証する。代わりに、所謂ノーフローアンダーフィルは、同じ機能のものであり得て、チップ３０間の結合界面の永続的な部分を後に残し、改善された機械的安定性を提供する。従って、ノーフローアンダーフィルは、チップ３０間のギャップの後のアンダーフィリングを節約する（プロセスＡ及びＢに見られる）。ノーフローアンダーフィル材を用いる場合、熱プロセス中にチップに圧力を印加する必要があることも多く、これは、キャリア上に配置された全てのチップに対して同時に圧力を印加することができる圧力プレートを用いて有利に行われる。
【００６６】
実施形態Ｃ、Ｄ及びＨでは、バンプ３６を省いて代わりに平坦な表面を用いる接続部が示されている。これは、更なるシーケンスにおいて、より密な接続部を可能にする。何故ならば、従来のバンプ３６が省かれるからである。この特別な形状の接続部は一般的に、所謂“一過性液相（ＴＬＰ，ｔｒａｎｓｉｅｎｔ  ｌｉｑｕｉｄ  ｐｈａｓｅ）”結合プロセスを用いて形成される。ここで、共晶金属接続部が形成されて、第一の金属が液相から第二の金属内に拡散して、第一の金属の融点以上の融点を有する安定な金属間接続部を形成する。従って、結合接続部を低温で実現することができて、その後においては、元々の結合温度以上の融点を有する。これは、これらの接続部を、チップ３０の複数のチップ層３３の積層に特に適したものとする。何故ならば、これによって、既に結合された面の接続部は悪影響を受けないからである。この結合接続に対する一つの典型的な例は、銅及び錫の接続である。しかしながら、他の可能性としては、銅及びインジウム、金及び錫、ニッケル及び錫、金及びインジウムが挙げられる。従って、例えばこの銅‐錫結合界面に対する結合温度は、例えば２７０から２８０℃である一方、完了後の界面は少なくとも４１５℃の温度安定性を有する。プロセスフローＣ、Ｄ及びＨに示されるチップ３０及びチップスタック３１は、永続的な金属結合を形成するための熱プロセスにおいて後で蒸発する一時的接着剤を用いて、熱プロセスの前に固定される。例えば、ビベンジルの使用が推奨される。ここで、チップスタック３１、チップ層３３を、チップ配置及び永続的結合界面を形成するための熱プロセスから成る複数ステップ、又は単一の配置ステップ及び単一の熱プロセスのシーケンスによって形成することができる。プロセスシーケンスＡ及びＢについても同様である。
【００６７】
更なるシーケンスにおいて、チップスタック３１は任意でアンダーフィリングされて、アンダーフィル材による改善された機械的安定性が得られる。代わりに、上述の一時的接着剤の代わりに、金属接続部を形成するための熱プロセスの完了後に、チップスタックの永続的部分のままである物質を用いることも考えられる。特に、その物質は、所謂ノーフローアンダーフィル材又は、上述の誘電体の群からの他の適切な物質でもあり得る。非金属電気絶縁領域によって取り囲まれた金属接触表面から成るハイブリッド結合界面も想定可能である。これに対する一例は、酸化シリコンによって取り囲まれた金属接触表面である。ここで、酸化シリコンは、ファンデルワールス結合によって相応に良い質で室温でチップを固定するのにも用いることができ、後に、熱プロセスによって永続的な結合接続に変換される。
【００６８】
プロセスＥ及びＦにおいて、チップ３０は、適切な方法を用いて互いに接続される。例えば、実施形態Ｆに示されるようなリソグラフィ法であり得る。ここでも、上述のような物質及び方法が使用可能である。特に、スプレーコーティングを用いた誘電体の適用が、チップを埋め込んで、チップ３０によって形成される顕著なトポグラフィを平坦化するのに適している。
【００６９】
実施形態Ｅは、接続部の少なくとも一部がワイヤボンディングを用いても形成されるバージョンを示す。
【００７０】
二つのバージョンＥ及びＦは、方法の柔軟性を示し、本発明が、複数の接続技術を同時に取り込むことを可能にする非常に多用途な方法であることを明確にする。
【００７１】
接続及びアンダーフィルプロセスを完了させた後に、残りの自由空間を埋め込み化合物（成形化合物）で充填する。これを用いて、チップ／チップスタックを安定化及び特に拡大させる。
【００７２】
例外は実施形態Ｆであり、成形化合物が省かされて、その結果として、特に薄くて小型のパッケージを得ることができる。この場合、チップの厚さは、相応に薄くなるように選択されて、誘電体が相応の機械的耐久性を有して、これは、ベース層２０の物質に対応する層物質４０内に埋め込まれたチップスタック３１の機械的に非常にフレキシブルな（柔軟な）パッケージとなり得て、チップスタックが、このフレキシビリティが有利となる特別な応用に特に適したものになる。例えば、これは、スマートカード応用や、パッケージが湾曲した表面上に取り付けられる応用であり得る。
【００７３】
埋め込みステップに続いて、ハイブリッドウェーハ３４がキャリア１０から取り外される。これは、キャリア１０が実施形態Ｈで説明されるように作製される際に有利に可能となる。この場合、まず、適切な接着剤として設けられた充填材１３が分解される。続いて、ハイブリッドウェーハ３４をキャリア１０から持ち上げる。この持ち上げは、キャリア１０及び／又はハイブリッドウェーハ３４のフレキシビリティを用いて有利に行われて、持ち上げプロセスが所定のサイトから開始して、分離波が開始点から表面全体にわたって伝わり、最終的にハイブリッドウェーハ３４をキャリア１０から分離するようにする。しかしながら、少なくとも、分離波は、キャリア１０の縁から中心に伝わらなければならない。この分離波の発生を促進及び／又は開始させるため、機械的分離素子をキャリア１０とハイブリッドウェーハ３４との間の界面に導入することが有用及び必要となり得る。これは例えば、楔、錐体、ブレードであり得る。適切な断面を有する張力のかかったワイヤも想定可能である。代わりに、分離プロセスは、ウォータジェット又はガスジェットを用いて開始及び／又は支持可能である。
【００７４】
実施形態Ｆの方法のシーケンスは図９Ｆ１から図９Ｆ７に従う：
【００７５】
図９Ｆ１に示されるプロセスステップでは、ベース層２０をキャリア１０に適用して、その充填層１９が支持領域１１を形成する。ベース層２０は完全に支持領域１１を覆い、その上に僅かに突出する。支持領域１１の上に突出しているベース層２０の環状部分は、接着領域１４（単位面積当たりの接着領域よりも少なくとも３倍強い接着力を有する）の上のベース層２０の全周囲の上に存在する。従って、ベース層２０は本質的には接着領域１４内のみにおいて保持される。
【００７６】
そして、図９Ｆ２に示されるように、キャリア１０の反対側のベース層２０の面上のチップ３０が、ピックアンドプレースツールを用いてベース層２０に適用される。複数の層に適用可能なチップ３０の面（ベース層２０の反対側の面）の上に、コンタクトパッド２２が適用されて、ファンアウト結合構造として回路経路２１（図９Ｆ４を参照）によって後の結合用に用いられる。
【００７７】
図９Ｆ３に示されるステップにおいて、ベース層２０の物質に対応する層物質４０が、ブランケット状でベース層２０に適用され、その層物質４０は適用中に、チップスタック３１間に形成された自由空間内に気泡を発生させずに浸入するようにされる。
【００７８】
図９Ｆ４に示されるプロセスステップにおいて、回路経路２０が特に層内に構築されて、接続パッド２２及び／又は隣接するチップ３０の結合用に形成される。回路経路は、リソグラフィステップ又はスタンピング法によって形成可能である。
【００７９】
図９Ｆ４に示されるプロセスステップにおいて、回路基板の結合用に設けられたファンアウト結合構造２１が、層物質４０の外に通されて、ファンアウト結合構造２１の末端部には、末端バンプ５０が設けられて、対応する回路基板に対する図９Ｆ７に係るハイブリッドウェーハ３４の接続用に使用される。
【００８０】
図９Ｆ６に示されるステップにおいて、キャリア１０が、本質的には上述の方法で接着領域１４に対する作用によって、ベース層２０から除去される。
【００８１】
図９Ｆ７は、分離された（バラされた）チップスタック３１を示し、ベース層２０の分離されたベース部分２６がキャリアとして用いられる。
【００８２】
図１０Ｇ１から図１０Ｇ１１は、実施形態Ｇに係る製造方法を示す。図１０Ｇ１に係る第一の方法ステップは、図１Ａ、図１Ｂ、図１Ｃ、図１Ｄ及び図１Ｅに示される方法ステップと同じ方法で、図９Ｆ１に係る方法ステップに対応する。
【００８３】
図１０Ｇ２に示される方法ステップにおいて、リソグラフィ処理用のフォトマスク９０がベース層２０の上に整列して配置されて、図１０Ｇ３に係る方法ステップにおいて、ベース層２０が、フォトマスク９０を通して露光される。
【００８４】
図１０Ｇ４に係るベース層２０の露出された露光サイト２７の領域において、チップ３０が、コントタクトパッド２２を介してチップ層３１内に構築されて、チップ縁３７の上のチップ位置合わせマーク３８が、チップ同士又はベース層２０に対するチップ３０の位置合わせ用に用いられる。
【００８５】
図１０Ｇ５に係る方法ステップにおいて、チップ３０が、ベース層２０上の表面全体にわたって層物質４０で埋め込まれる。
【００８６】
図１０Ｇ６に係るプロセスステップにおいて、キャリア１０が、図９Ｆ６と同様に除去されて、図１０Ｇ７に係る方法ステップにおいて、ハイブリッドウェーハ３４が頭を上にして反転される。
【００８７】
図１０Ｇ８に係る方法ステップにおいて、ベース層２０の露光サイト２７が特にエッチングによって露出されて、図１０Ｇ９に係る方法ステップにおいて、回路経路２１が、露わにされた露光サイト２７内に形成される。
【００８８】
図１０Ｇ１０に係る方法ステップにおいて、回路基板に対するチップスタック３１の接続のために、末端バンプ５０が回路経路２１に結合される。
【００８９】
図１０Ｇ１１に係る方法ステップにおいて、ハイブリッドウェーハ３４のチップスタック３１が分離される（バラされる）。
【００９０】
図１１Ｈ１から図１１Ｈ９に係る特に好ましい実施形態Ｈでは、図１１Ｈ１に係るベース層２０が、図９Ｆ１に係る方法と同様に適用されるが、接着領域１４内、つまり支持領域１１に続くキャリア１０が、キャリア面１５に対して後退したオフセット１２を有して、多かれ少なかれ肩部を形成する。ベース層２０をキャリア１０に適用する前に、オフセット１２は、接着性充填材１３で充填されて、充填材１３が支持領域１１と同一平面になるようにされる。ベース層２０は、充填材１３の頂部の環状部分内において充填材１３の上に少なくとも部分的に存在する。従って、充填材１３は、少なくとも部分的に接着領域１４を形成する。
【００９１】
図１１Ｈ２に係る方法ステップは、図２Ｄ（実施形態Ｄ）に係る方法ステップに対応し、導電経路２１及び位置合わせマーク２５がベース層２０内に形成される。
【００９２】
図１１Ｈ３に係る方法ステップは、図３Ｄに係る方法ステップに対応し、コンタクトパッド２２が、導電経路２１に対する接触サイトにおいてベース層２０に適用されて、ファンアウト結合構造が同時に形成される。
【００９３】
図１１Ｈ４に係る方法ステップは、図４Ｄに係る方法ステップに対応し、チップスタック３１が、四つのチップ層３３内のチップ３０の積層によって形成される。チップ層３３のチップ３０はＴＳＶと、個々のＴＳＶを接続するコンタクトによって相互接続される。
【００９４】
図１１Ｈ５に係る方法ステップ（図５Ｄに係る方法ステップに対応）において、チップ３１が層物質４０によって埋め込まれる。
【００９５】
図１１Ｈ６に係る方法ステップにおいて、充填材３１が、その充填材３１に対して選択的に作用する対応溶媒によって除去されて、続く図１１Ｈ７に係る方法ステップにおいて、キャリア１０を、ハイブリッドウェーハ３４から簡単に取り外すことができる。
【００９６】
図１１Ｈ８に係る方法ステップにおいて、末端バンプ５０を、ファンアウト接触構造の対応する接触サイトを有するベース層２０の上に結合させる。
【００９７】
図１１Ｈ９に係る方法ステップにおいて、チップスタック３１が分離される（バラされる）。
【符号の説明】
【００９８】
１０  キャリア
１１  支持領域
１２  オフセット
１３  充填材
１４  接着領域
１５  キャリア面
１６  側縁
１７  ステージ
１８  接触表面
１９  充填層
２０  ベース層
２１  導電経路
２２  接触パッド
２４  チップ面
２５  位置合わせマーク
２６  ベース部分
２７  露光サイト
３０  チップ
３１  チップスタック
３２  チップスタック縁
３３  チップ層
３４  ハイブリッドウェーハ
３５  ハイブリッドウェーハ縁
３６  バンプ
３７  チップ縁
３８  チップ位置合わせマーク
４０  層物質
５０  末端バンプ
９０  フォトマスク
【図１Ａ】
2013535093.tif 000003
【図１Ｂ】
2013535093.tif 000004
【図１Ｃ】
2013535093.tif 000005
【図１Ｄ】
2013535093.tif 000006
【図１Ｅ】
2013535093.tif 000007
【図２Ａ】
2013535093.tif 000008
【図２Ｂ】
2013535093.tif 000009
【図２Ｃ】
2013535093.tif 000010
【図２Ｄ】
2013535093.tif 000011
【図２Ｅ】
2013535093.tif 000012
【図３Ａ】
2013535093.tif 000013
【図３Ｂ】
2013535093.tif 000014
【図３Ｃ】
2013535093.tif 000015
【図３Ｄ】
2013535093.tif 000016
【図３Ｅ】
2013535093.tif 000017
【図４Ａ】
2013535093.tif 000018
【図４Ｂ】
2013535093.tif 000019
【図４Ｃ】
2013535093.tif 000020
【図４Ｄ】
2013535093.tif 000021
【図４Ｅ】
2013535093.tif 000022
【図５Ａ】
2013535093.tif 000023
【図５Ｂ】
2013535093.tif 000024
【図５Ｃ】
2013535093.tif 000025
【図５Ｄ】
2013535093.tif 000026
【図５Ｅ】
2013535093.tif 000027
【図６Ａ】
2013535093.tif 000028
【図６Ｂ】
2013535093.tif 000029
【図６Ｃ】
2013535093.tif 000030
【図６Ｄ】
2013535093.tif 000031
【図６Ｅ】
2013535093.tif 000032
【図７Ａ】
2013535093.tif 000033
【図７Ｂ】
2013535093.tif 000034
【図７Ｃ】
2013535093.tif 000035
【図７Ｄ】
2013535093.tif 000036
【図７Ｅ】
2013535093.tif 000037
【図８Ａ】
2013535093.tif 000038
【図８Ｂ】
2013535093.tif 000039
【図８Ｃ】
2013535093.tif 000040
【図８Ｄ】
2013535093.tif 000041
【図８Ｅ】
2013535093.tif 000042
【図９Ｆ１】
2013535093.tif 000043
【図９Ｆ２】
2013535093.tif 000044
【図９Ｆ３】
2013535093.tif 000045
【図９Ｆ４】
2013535093.tif 000046
【図９Ｆ５】
2013535093.tif 000047
【図９Ｆ６】
2013535093.tif 000048
【図９Ｆ７】
2013535093.tif 000049
【図１０Ｇ１】
2013535093.tif 000050
【図１０Ｇ２】
2013535093.tif 000051
【図１０Ｇ３】
2013535093.tif 000052
【図１０Ｇ４】
2013535093.tif 000053
【図１０Ｇ５】
2013535093.tif 000054
【図１０Ｇ６】
2013535093.tif 000055
【図１０Ｇ７】
2013535093.tif 000056
【図１０Ｇ８】
2013535093.tif 000057
【図１０Ｇ９】
2013535093.tif 000058
【図１０Ｇ１０】
2013535093.tif 000059
【図１０Ｇ１１】
2013535093.tif 000060
【図１１Ｈ１】
2013535093.tif 000061
【図１１Ｈ２】
2013535093.tif 000062
【図１１Ｈ３】
2013535093.tif 000063
【図１１Ｈ４】
2013535093.tif 000064
【図１１Ｈ５】
2013535093.tif 000065
【図１１Ｈ６】
2013535093.tif 000066
【図１１Ｈ７】
2013535093.tif 000067
【図１１Ｈ８】
2013535093.tif 000068
【図１１Ｈ９】
2013535093.tif 000069
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
チップスタック（３１）を製造するための方法であって、
キャリア（１０）のキャリア面（１５）にベース層（２０）を適用するステップと、
前記ベース層（２０）の上にチップスタック（３１）を構築するステップと、
前記ベース層（２０）から前記キャリア（１０）を取り外すステップとを備え、
前記キャリア面（１５）の上に、接着性の接着領域（１４）と低接着性の支持領域（１１）とが設けられて、前記ベース層（２０）が、少なくとも主に前記支持領域（２０）に適用され、
前記ベース層（２０）が少なくとも部分的に前記チップスタック（３１）の一部分となる、方法。
【請求項２】
前記接着領域（１４）内の前記キャリア面（１５）の上に、特に前記キャリア面（１５）に対して後退させたオフセット（１２）の上に、好ましくは前記キャリア面（１５）と同一平面で、選択的可溶性の充填材（１３）が存在する、請求項１に記載の方法。
【請求項３】
前記ベース層（２０）が、前記支持領域（２０）の表面全体にわたって適用され、前記接着領域（１４）に対して少なくとも部分的に適用される、請求項１に記載の方法。
【請求項４】
前記チップスタック（３１）が、特に切断によって、前記チップスタック（３１）が前記キャリア（１０）に接続したままであるように、前記キャリア（１０）の取り外しの前に分離される、請求項１に記載の方法。
【請求項５】
前記ベース層（２０）を形成する物質がフレキシブルである、請求項１に記載の方法。
【請求項６】
特に前記チップスタック（３１）を構築する前に、ファンアウト結合構造（２１）が前記ベース層（２０）内に形成される、請求項１に記載の方法。
【請求項７】
前記チップスタック（３１）を構築する前に、前記キャリア面（１５）の反対側のチップ面（２４）の上に、前記チップスタック（３１）を前記ファンアウト結合構造（２１）に電気的に結合するための接触パッド（２２）を適用する、請求項６に記載の方法。
【請求項８】
前記チップスタック（３１）の構築の前又は間に、特に請求項６に記載のファンアウト結合構造（２１）の導入と同時に、前記ベース層（２０）の上の前記コンタクトパッド（２２）及び／又は前記チップスタック（３１）の位置決め／配置のための位置合わせマーク（２５）が、特に前記チップスタック（３１）の縁（３２）と同一平面で、前記ベース層（２０）の中／上に存在している、請求項６に記載の方法。
【請求項９】
前記チップスタック（３１）が、結合によって前記ベース層（２０）の上に直接固定される、請求項１に記載の方法。
【請求項１０】
前記チップスタック（３１）を構築した後であって且つ前記キャリア（１０）を取り外す前に、前記チップスタックを、前記ベース層（２０）の物質に特に対応する層物質（４０）で埋め込む、請求項１から９のいずれか一項に記載の方法。
【請求項１１】
前記キャリア（１０）を、特に前記接着層（１４）の接着力を低下させることによって、好ましくは前記充填材（１３）の選択的分解によって、前記キャリア（１０）の側縁から取り外す、請求項１又は２に記載の方法。
【請求項１２】
前記ベース層（２０）のベース部分（２６）が、各チップスタック（３１）の一部を形成する、請求項１から１１のいずれか一項に記載の方法。
【請求項１３】
チップスタック（３１）を製造するための方法であって、
キャリア（１０）のキャリア面（１５）にベース層（２０）を適用するステップと、
前記ベース層（２０）の上に前記チップスタック（３１）を構築するステップと、
前記ベース層（２０）から前記キャリア（１０）を取り外すステップとを備え、
前記キャリア面（１５）の上に、接着性の接着領域（１４）が設けられて、前記ベース層（２０）が前記接着領域（１４）の表面全体にわたって適用されて、前記ベース層（２０）を有する前記接着領域（１４）の接触表面が、前記ベース層（２０）の適用の前に、自由表面エネルギーを低下させるために表面修飾され、
前記ベース（２０）層が少なくとも部分的に前記チップスタック（３１）の一部分となる、方法。
【請求項１４】
接着性の接着領域（１４）及び低接着性の支持領域（１１）がキャリア面（１５）の上に設けられているキャリア（１０）であって、ベース層（２０）が少なくとも主に前記支持領域（１１）に適用され、前記接着領域（１４）内の前記キャリア面（１５）の上において、前記キャリア面（１５）に対して後退させたオフセット（１２）の上に、選択的可溶性充填材（１３）が存在している、キャリア（１０）。
【国際調査報告】
2013535093.tif 000070
2013535093.tif 000071
2013535093.tif 000072
2013535093.tif 000073